(57)【要約】【課題】携帯端末とタブレット端末とを一体化した構成でもハンズフリー電話機としての利用やステレオ再生が可能な音声再生システム及び方法を提供する。【解決手段】タブレット端末は、携帯端末と情報の送受信を可能に接続するインタフェース、音声を出力するスピーカ及び携帯端末よりも画面サイズが大きい表示部を備える。携帯インタフェースを出力するレシーバ、外部機器と情報の送受信を可能に接続するインタフェース、タブレット端末が備えるスピーカから出力される音量に対応する音声をレシーバから出力可能にする音量増幅手段及び音量設定手段を備え、上記インタフェースを介したタブレット装置との接続時、レシーバからスピーカの音量に対応する音声を出力する。【選択図】図４
2013126001.tif 000002
【特許請求の範囲】
【請求項１】
音声を出力するレシーバ部及び外部機器と情報の送受信を可能に接続するインタフェースを備えた携帯端末と、
前記携帯端末と情報の送受信を可能に接続する前記インタフェース、音声を出力するスピーカ及び前記携帯端末よりも画面サイズが大きい表示部を備えたタブレット端末と、
を有し、
前記携帯端末は、
前記タブレット端末が備えるスピーカから出力される音量に対応する音声を前記レシーバ部から出力可能にする音量増幅手段及び音量設定手段を備え、
前記インタフェースを介した前記タブレット端末との接続時、前記レシーバ部から前記スピーカの音量に対応する音声を出力する音声再生システム。
【請求項２】
前記レシーバ部または前記スピーカから出力する音声は、前記携帯端末に対する音声着信時に通話相手から送信される受話音声である請求項１記載の音声再生システム。
【請求項３】
前記レシーバ部及び前記スピーカからそれぞれ前記受話音声を出力する請求項２記載の音声再生システム。
【請求項４】
前記レシーバ部及び前記スピーカから出力する音声は、２チャネルステレオ用の音楽データであり、前記レシーバ部から一方のチャネルの音声を出力し、前記スピーカから他方のチャネルの音声を出力する請求項１記載の音声再生システム。
【請求項５】
前記タブレット端末は、
前記携帯端末を挿抜可能に収納する収納部を備え、前記インタフェースが前記収納部に設けられた請求項１から４のいずれか１項記載の音声再生システム。
【請求項６】
音声を出力するレシーバ部及び外部機器と情報の送受信を可能に接続するインタフェースを備えた携帯端末と、
前記携帯端末と情報の送受信を可能に接続する前記インタフェース、音声を出力するスピーカ及び前記携帯端末よりも画面サイズが大きい表示部を備えたタブレット端末と、
を前記インタフェースを介して接続したときに前記レシーバ部及び前記スピーカから音声を出力するための音声再生方法であって、
前記携帯端末が、
予め前記タブレット端末が備えるスピーカから出力される音量に対応する音声を前記レシーバ部から出力可能にする音量増幅手段及び音量設定手段を備えておき、
前記レシーバ部から前記スピーカの音量に対応する音声を出力する音声再生方法。
【請求項７】
前記レシーバ部または前記スピーカから出力する音声は、前記携帯端末に対する音声着信時に通話相手から送信される受話音声である請求項６記載の音声再生方法。
【請求項８】
前記レシーバ及び前記スピーカからそれぞれ前記受話音声を出力する請求項７記載の音声再生方法。
【請求項９】
前記レシーバ部及び前記スピーカから出力する音声は、２チャネルステレオ用の音楽データであり、前記レシーバから一方のチャネルの音声を出力し、前記スピーカから他方のチャネルの音声を出力する請求項６記載の音声再生方法。
【発明の詳細な説明】
【技術分野】
【０００１】
本発明は携帯端末の音声を外部の機器で出力するための音声再生システム及び方法に関する。
【背景技術】
【０００２】
近年、電話機能と情報処理機能とを備えた、いわゆるスマートフォンと呼ばれる高機能な携帯端末が普及してきている。スマートフォンは、小型、軽量であり、携帯し易い利点があるが、例えばテレビジョン放送や動画像を視聴する、あるいは相手の顔を見ながらハンズフリーで通話する等、より大きい画面を利用したい場合がある。
【０００３】
その場合、スマートフォンを、該スマートフォンよりも画面サイズが大きい、例えば据え置き型、ノート型、タブレット型等のパーソナルコンピュータ、あるいはテレビジョン受像機と接続し、スマートフォンの表示画像をそれらの外部装置の画面に表示させると共に、該外部装置に音声を再生させることが考えられる。
【０００４】
なお、ハンズフリー電話機については、例えば特許文献１に記載されている。また、携帯端末を他の機器に装着して利用する構成は、例えば特許文献２に記載され、携帯端末をハンズフリーで通話できるようにする技術は、例えば特許文献３及び４に記載されている。
【０００５】
特許文献１には、ハンズフリー用のマイクや外部スピーカの接続有無に応じて、受話音声を増幅する増幅器の利得を変更することが記載されている。
【０００６】
特許文献２には、携帯端末をカーステレオの機器本体に装着することで、カーステレオの操作を可能にすると共に、携帯端末をカーステレオの機器本体に装着していないときにはカーステレオの操作を無効にすることでカーステレオの盗難を防止することが記載されている。
【０００７】
特許文献３には、時計回路、マイクロフォン、スピーカ及び近距離無線インタフェースを備えた音声時計を、該近距離無線インタフェースを介して携帯端末と接続することで、該音声時計を用いた携帯端末のハンズフリー通話を可能にした構成が記載されている。また、特許文献４には、オーディオ機器に携帯端末を接続可能にする外部アダプタを設け、該オーディオ機器を用いた携帯端末のハンズフリー通話を可能にすると共に、該携帯端末に格納された音楽データをオーディオ機器で再生可能にした構成が記載されている。
【先行技術文献】
【特許文献】
【０００８】
【特許文献１】特開平０５−１３６８６５号公報
【特許文献２】特開平０６−０４６０００号公報
【特許文献３】特開２００２−３６８８３７号公報
【特許文献４】特開２００９−１２４２７３号公報
【発明の概要】
【発明が解決しようとする課題】
【０００９】
例えば、上述したタブレット型のパーソナルコンピュータ（以下、タブレット端末と称す）は、その多くが電話機能を備えていない。一方、携帯端末をタブレット端末と接続して、例えばハンズフリー電話機として利用する場合、携帯端末とタブレット端末とは一体であることが好ましい。
【００１０】
しかしながら、その場合、携帯端末をタブレット端末に収納したり、携帯端末をタブレット端末の背面に設置したりする構成では、携帯端末のマイク、レシーバ、スピーカ等の音響部品を利用した通話ができない場合がある。
【００１１】
また、携帯端末が備える音楽プレイヤーの機能を利用して、携帯端末で再生された音楽をタブレット端末のスピーカから出力する場合、タブレット端末にスピーカが１つしかないと、音楽データがステレオ再生用であってもタブレット端末ではモノラルで再生されるため、ユーザに提供できる機能が制限されてしまう。上記特許文献１〜４は、携帯端末をタブレット端末と接続してハンズフリー電話機や音楽再生等に利用する技術について何も示していない。
【００１２】
本発明は上述したような背景技術が有する問題点を解決するためになされたものであり、携帯端末とタブレット端末とを一体化した構成でもハンズフリー電話機としての利用やステレオ再生が可能な音声再生システム及び方法を提供することを目的とする。
【課題を解決するための手段】
【００１３】
上記目的を達成するため本発明の音声再生システムは、音声を出力するレシーバ部及び外部機器と情報の送受信を可能に接続するインタフェースを備えた携帯端末と、
前記携帯端末と情報の送受信を可能に接続する前記インタフェース、音声を出力するスピーカ及び前記携帯端末よりも画面サイズが大きい表示部を備えたタブレット端末と、
を有し、
前記携帯端末は、
前記タブレット端末が備えるスピーカから出力される音量に対応する音声を前記レシーバ部から出力可能にする音量増幅手段及び音量設定手段を備え、
前記インタフェースを介した前記タブレット端末との接続時、前記レシーバ部から前記スピーカの音量に対応する音声を出力する構成である。
【００１４】
一方、本発明の音声再生方法は、音声を出力するレシーバ部及び外部機器と情報の送受信を可能に接続するインタフェースを備えた携帯端末と、
前記携帯端末と情報の送受信を可能に接続する前記インタフェース、音声を出力するスピーカ及び前記携帯端末よりも画面サイズが大きい表示部を備えたタブレット端末と、
を前記インタフェースを介して接続したときに前記レシーバ部及び前記スピーカから音声を出力するための音声再生方法であって、
前記携帯端末が、
予め前記タブレット端末が備えるスピーカから出力される音量に対応する音声を前記レシーバ部から出力可能にする音量増幅手段及び音量設定手段を備えておき、
前記レシーバ部から前記スピーカの音量に対応する音声を出力する方法である。
【発明の効果】
【００１５】
本発明によれば、携帯端末とタブレット端末とを一体化した構成でもハンズフリー電話機としての利用やステレオ再生が可能になる。
【図面の簡単な説明】
【００１６】
【図１（ａ）】本発明の音声再生システムの一構成例を示す模式図である。
【図１（ｂ）】図１（ａ）に示した携帯端末とタブレット端末とを一体化した様子を示す模式図である。
【図２（ａ）】図１（ａ）、（ｂ）に示した携帯端末の一構成例を示すブロック図である。
【図２（ｂ）】図１（ａ）、（ｂ）に示したタブレット端末の一構成例を示すブロック図である。
【図３（ａ）】図１（ａ）、（ｂ）に示した携帯端末による音楽再生時の処理手順の一例を示すフローチャートである。
【図３（ｂ）】図１（ａ）、（ｂ）に示したタブレット端末による音楽再生時の処理手順の一例を示すフローチャートである。
【図４】図１（ｂ）に示した音声再生システムをハンズフリー電話機として用いる場合の処理手順の一例を示すフローチャートである。
【発明を実施するための形態】
【００１７】
次に本発明について図面を用いて説明する。
【００１８】
図１（ａ）は、本発明の音声再生システムの一構成例を示す模式図である。
【００１９】
図１（ａ）に示すように、本実施形態の音声再生システムは、携帯端末１００と、該携帯端末１００よりも画面サイズが大きい表示部及びタッチパネルや入力キー等の入力部（不図示）を備えたタブレット端末２００とを有する。
【００２０】
タブレット端末２００は、携帯端末１００を挿抜可能に収納する収納部を備え、該収納部に携帯端末１００を図の矢印方向に挿入することで、該携帯端末１００との接続を可能にするインタフェースを備えた構成である。タブレット端末２００に対する携帯端末１００の収納時、携帯端末１００とタブレット端末２００とは該インタフェースを介して各種のデータが送受信可能である。
【００２１】
携帯端末１００としては、例えば周知の電話機の機能とＰＤＡ（Personal Data AssistanceまたはPersonal Digital Assistants：個人向け携帯型情報通信機器）の機能をそれぞれ備えた、スマートフォンと呼ばれる携帯電話機がある。
【００２２】
図１（ｂ）は、図１（ａ）に示した携帯端末とタブレット端末とを一体化した様子を示す模式図である。
【００２３】
図１（ｂ）に示すように、本実施形態の音声再生システムでは、携帯端末１００をタブレット端末２００の収納部に挿入することで、携帯端末１００とタブレット端末２００とを一体化させる。タブレット端末２００の収納部には、携帯端末１００の固定位置でレシーバ３０２が露出するように切り欠きが設けられている。レシーバ３０２は、例えば携帯端末１００を電話機として利用するときに用いられる音響部品であり、携帯端末１００単体で音声通話する場合は通話相手の音声がレシーバ３０２から出力される。本実施形態では、タブレット端末２００に対する携帯端末１００の収納時、この携帯端末１００のレシーバ３０２をスピーカとして利用する。
【００２４】
タブレット端末２００は、画像を表示する表示部３０４、スピーカ３０１及びメニューキー３０３を備えている。表示部３０４の表示面上には、表示された画像に基づいて、文字、数字、記号等の情報をタブレット端末２００に入力するためのタッチパネルが設置されている。ユーザは、図１（ｂ）に示すメニューキー３０３及び表示部３０４上に設置されたタッチパネルを用いて文字、数字、記号等の情報を入力すると共に、タブレット端末２００及び携帯端末１００の各種操作が可能になる。
【００２５】
本実施形態の音声再生システムでは、図１（ｂ）に示すように携帯端末１００とタブレット端末２００とを一体化させた状態において、例えば携帯端末１００に格納された２チャネルステレオ用の音楽データを再生する場合、タブレット端末２００のスピーカ３０１を左チャネルの音楽再生に用い、携帯端末１００のレシーバ３０２を右チャネルの音声再生に用いることでステレオ再生を可能にする。逆にタブレット端末２００のスピーカ３０１を右チャネルの音声再生に用い、携帯端末１００のレシーバ３０２を左チャネルの音声再生に用いてもよい。携帯端末１００は、携帯端末１００単体による音声通話で出力する音声と、スピーカ３０１の音量に対応する音声とがそれぞれ出力できるように、レシーバ３０２用に２つの音声増幅器（不図示）を備えているものとする。レシーバ３０２用の音声増幅器は、利得や周波数特性等が切り換え可能な構成であれば１台でもよい。
【００２６】
携帯端末１００からタブレット端末２００へ送信する２チャネルステレオ用の音声信号のうち、タブレット端末２００のスピーカ３０１から出力しないチャネルの音声信号は、携帯端末１００で削除してもよく、タブレット端末２００で削除してもよい。携帯端末１００がレシーバ３０２とスピーカ（不図示）とを備え、携帯端末１００単体で音楽再生時にレシーバ３０２及びスピーカを用いてステレオ再生が可能である場合、携帯端末１００のスピーカはタブレット端末２００への収納時に音声出力を停止してもよく、レシーバ３０２と同じチャネルの音声を出力してもよい。
【００２７】
また、本実施形態の音声再生システムでは、ハンズフリーによる音声通話（モノラル再生）時、携帯端末１００のレシーバ３０２をスピーカとして使用して受話音声を出力する。または、携帯端末１００のレシーバ３０２とタブレット端末２００のスピーカ３０１の少なくともいずれか一方から受話音声を出力する。この場合、送話者の音声入力には、映像や音声を送受信するためのＨＤＭＩ（High-Definition Multimedia Interface）や外部機器とデータを送受信するためのＵＳＢ（Universal Serial Bus）等の周知のインタフェース方式を介して接続される外付けのマイクロフォン、あるいはＢｌｕｅｔｏｏｔｈ（登録商標）等の周知の近距離無線インタフェースを介して接続される外付けのマイクロフォンを用いればよい。また、送話者の音声入力には、携帯端末１００が備えるマイクロフォン１２１を用いてもよい。
【００２８】
図２（ａ）は、図１（ａ）、（ｂ）に示した携帯端末の一構成例を示すブロック図である。
【００２９】
図２（ａ）に示すように、本実施形態の携帯端末１００は、ＣＰＵ１１０、ＲＯＭ１１１、作業用メモリ１１２、不揮発メモリ１１３、無線機送受信部１１４、ＬＥＤ部１１５、外部インタフェース１１６、キー入力部１１７、キーバックライト１１８、表示制御部１１９、マイクロフォン１２１、スピーカ１２２、レシーバ１２３、近距離無線送受信部１２４及び電源制御部１２５を備え、それらがバス１３０を介して互いに接続された構成である。表示制御部１１９には表示部１２０が接続され、電源制御部１２５には携帯端末１００に所要の電力を供給する主電源である二次電池（不図示）が接続され、外部インタフェース１１６には、上記外付けのマイクロフォンや図１に示したタブレット端末２００が接続される。
【００３０】
ＲＯＭ（Read Only Memory）１１１は、ＣＰＵ１１０によって各種の処理を実行するための制御用プログラムが格納された不揮発性のメモリである。ＣＰＵ１１０は、ＲＯＭ１１１に格納された制御用プログラムにしたがって処理を実行することで、例えば周知のスマートフォンとしての機能を実現すると共に、本発明の音声再生システムが備える、後述する携帯端末１００としての機能を実現する。ＲＯＭ１１１には、音声着信時に用いられる各種メロディを鳴音するための固定音楽データ等も格納される。
【００３１】
作業用メモリ１１２は、ＣＰＵ１１０による制御用プログラムにしたがった処理で必要なデータを一時的に保持する。作業用メモリ１１２には、例えばＲＡＭ（Random Access Memory）が用いられる。
【００３２】
不揮発メモリ１１３は、電話帳データ、各種設定値、ユーザーデータ等が格納される、記憶内容が書き換え可能な不揮発性のメモリである。
【００３３】
無線機送受信部１１４は、無線通信により音声や画像等の各種データを送受信するための周知の無線回路である。
【００３４】
ＬＥＤ部１１５は、例えば異なる色で発光する複数のＬＥＤ（Light Emitting Diode）を備え、各ＬＥＤの点滅パターン等を変更することで着信や電子メールの受信等をユーザへ通知するために用いられる電子部品である。
【００３５】
外部インタフェース１１６は、ＵＳＢやＨＤＭＩ等に対応したコネクタを備え、各種の外部機器とデータの送受信が可能に接続するインタフェースである。外部インタフェース１１６には、上述したように図１（ａ）に示したタブレット端末２００と接続するためのインタフェースも含む。外部インタフェース１１６は、１種類のインタフェースで構成される必要はなく、複数または複数種類のインタフェースを備える構成でもよい。これら複数または複数種類のインタフェースは、同時に用いてもよく、適宜切り替えてもよい。
【００３６】
キー入力部１１６は、電源のＯＮ／ＯＦＦや各種設定に必要なハードウェアによる入力キー（メニューキー、ホームキー、クリアキー、電源キー、ボリュームキー等）、あるいはタッチパネル等を用いてユーザが入力した、文字、数字、記号、指示等の情報を受け付ける入力回路である。
【００３７】
キーバックライト１１７は、入力キーの照光やイルミネーションを実現する発光部である。キーバックライト１１７は複数色の発光が可能である。
【００３８】
表示部１２０は、ＣＰＵ１１０から供給される画像情報や映像信号にしたがって画像を表示する、液晶ディスプレイや有機ＥＬパネル等である。表示部１２０の表示面上には、表示された画像に基づいて、文字、数字、記号等の情報を携帯端末１００に入力するためのタッチパネルが設置されていてもよい。
【００３９】
表示制御部１１９は、表示部１２０に画像や映像を表示させるための制御を行う制御回路である。
【００４０】
マイクロフォン１２１、スピーカ１２２、レシーバ１２３は、携帯端末１００を電話機として利用する際に用いられる音声通話用の音響部品である。送話者の音声はマイクロフォン１２１によって入力され、通話相手の音声はスピーカ１２２またはレシーバ１２３から出力される。図１（ｂ）に示したレシーバ３０２は、図２（ａ）に示すレシーバ１２３に相当する。
【００４１】
近距離無線送受信部１２４は、Ｂｌｕｅｔｏｏｔｈ（登録商標）等の周知の近距離無線インタフェースに対応した無線機器と無線通信によりデータを送受信するためのインタフェース回路である。
【００４２】
電源制御部１２５は、携帯端末１００に対する二次電池１０１からの電源供給を制御する。
【００４３】
図２（ｂ）は、図１（ａ）、（ｂ）に示したタブレット端末の一構成例を示すブロック図である。
【００４４】
図２（ｂ）に示すように、本実施形態のタブレット端末２００は、ＣＰＵ２１０、ＲＯＭ２１１、作業用メモリ２１２、不揮発メモリ２１３、外部インタフェース２１４、キー入力部２１５、表示制御部２１６、スピーカ２１８及び電源制御部２１９を備え、それらがバス２３０を介して互いに接続された構成である。表示制御部２１６には表示部２１７が接続され、電源制御部２１９にはタブレット端末２００に所要の電力を供給する主電源である二次電池（不図示）が接続され、外部インタフェース２１４には、例えば図２（ａ）に示した携帯端末１００が接続される。
【００４５】
ＲＯＭ２１１は、ＣＰＵ２１０によって各種の処理を実行するための制御用プログラムが格納された不揮発性のメモリである。ＣＰＵ２１０は、ＲＯＭ２１１に格納された制御用プログラムにしたがって処理を実行することで、周知のタブレット端末としての機能を実現すると共に、本発明の音声再生システムが備える、後述するタブレット端末２００としての機能を実現する。
【００４６】
作業用メモリ２１２は、ＣＰＵ２１０による制御用プログラムにしたがった処理で必要なデータを一時的に保持する。作業用メモリ２１２には、例えばＲＡＭが用いられる。
【００４７】
不揮発メモリ２１３は、電話帳データ、各種設定値、ユーザーデータ等が格納される、記憶内容が書き換え可能な不揮発性のメモリである。
【００４８】
外部インタフェース２１４は、ＵＳＢやＨＤＭＩ等に対応したコネクタを備え、各種の外部機器とデータの送受信が可能に接続するインタフェースである。外部インタフェース２１４には、上述したように図１（ａ）に示した携帯端末１００と接続するためのインタフェース回路を備えている。
【００４９】
表示部２１７は、携帯端末１００やＣＰＵ２１０から供給される画像情報や映像信号にしたがって画像を表示する、液晶ディスプレイや有機ＥＬパネル等である。表示部２１７の表示面上には、表示された画像に基づいて、文字、数字、記号等の情報をタブレット端末２００に入力するためのタッチパネルが設置されていてもよい。図１（ｂ）に示した表示部３０４は、図２（ｂ）に示す表示部２１７に相当する。
【００５０】
表示制御部２１６は、表示部２１７に画像や映像を表示させるための制御を行う制御回路である。
【００５１】
キー入力部２１５は、電源のＯＮ／ＯＦＦや各種設定に必要なハードウェアによる入力キー（メニューキー、ホームキー、クリアキー、電源キー、ボリュームキー等）、あるいはタッチパネル等を用いてユーザが入力した、文字、数字、記号、指示等の情報を受け付ける入力回路である。図１（ｂ）に示したメニューキー３０３は、図２（ｂ）に示すキー入力部２１５で実現される。
【００５２】
スピーカ２１８は、映像や音楽等のマルチメディア再生時に音声を出力する。図１（ｂ）に示したスピーカ３０１は、図２（ｂ）に示すスピーカ２１８に相当する。
【００５３】
電源制御部２１９は、タブレット端末２００に対する二次電池（不図示）からの電源供給を制御する。
【００５４】
図２（ｂ）は、電話機能を備えていないタブレット端末２００の構成例を示しているが、タブレット端末２００には、図２（ａ）に示した携帯端末１００と同様に、無線機送受信部１１４、マイクロフォン１２１、レシーバ１２３等を有することで電話機能を備えていてもよい。
【００５５】
次に本実施形態の音声再生システムの動作について図面を用いて説明する。
【００５６】
図３（ａ）は、図１（ａ）、（ｂ）に示した携帯端末による音楽再生時の処理手順の一例を示すフローチャートである。また、図３（ｂ）は、図１（ａ）、（ｂ）に示したタブレット端末による音楽再生時の処理手順の一例を示すフローチャートである。
【００５７】
図３（ａ）及び（ｂ）に示す音声再生システムの処理は、携帯端末１００が備えるＣＰＵ１１０がＲＯＭ１１１に格納された制御用プログラムにしたがって処理を実行し、タブレット端末２００が備えるＣＰＵ２１０がＲＯＭ２１１に格納された制御用プログラムにしたがって処理を実行することで実現される。
【００５８】
まず携帯端末１００の処理手順について図３（ａ）を用いて説明する。
【００５９】
図３（ａ）に示すように、携帯端末１００は、待ち受け状態においてタブレット端末２００と接続されているか否かを判定する（ステップＳ１１）。タブレット端末２００と接続されていない場合、携帯端末１００はステップＳ１１の処理を繰り返す。
【００６０】
タブレット端末２００と接続されている場合、携帯端末１００は、レシーバ１２３をスピーカとして運用するための準備（レシーバの運用変更）を行う（ステップＳ１２）。例えばレシーバ１２３から出力する音量を設定するための音量設定テーブルをレシーバ用からスピーカ用に切り換える。また、携帯端末１００は、レシーバ用の音声増幅回路をスピーカ用の音声増幅回路に切り換える。
【００６１】
通常、携帯端末１００のレシーバ１２３とタブレット端末２００のスピーカ２１８とは、実装空間の容積、開口面積、性能等が異なっている。そのため、レシーバ１２３をスピーカとして用いる場合、予めタブレット端末２００のスピーカ２１８と音量や音質が等しくなるように携帯端末１００が備える音声増幅回路（不図示）等を調整しておき、携帯端末１００のレシーバ１２３とタブレット端末２００のスピーカ２１８の音量が同じになるように音量設定テーブルを作成しておけばよい。レシーバ用及びスピーカ用の音量設定テーブルは、例えば不揮発メモリ１１３に格納されているものとする。音声増幅回路は、レシーバ１２３から所要の電力や音響特性で音声を出力できれば、周知のどのような回路を用いてもよい。
【００６２】
次に、携帯端末１００は、ユーザが携帯端末１００を操作することで設定した音量設定値を、ユーザがタブレット端末２００を操作することで設定した音量設定値に一致させる（ステップＳ１３）。タブレット端末２００の音量設定値は、例えばタブレット端末２００が携帯端末１００との接続を確認した時点で、該タブレット端末２００から携帯端末１００へ送信すればよい。または、タブレット端末２００の音量設定値は、携帯端末１００からの要求に応じて、タブレット端末２００から携帯端末１００へ送信すればよい。図３では、携帯端末１００の音量設定値をタブレット端末２００の音量設定値に一致させる例を示しているが、タブレット端末２００の音量設定値を携帯端末１００の音量設定値に一致させてもよい。
【００６３】
次に、携帯端末１００は、タブレット端末２００に対するユーザの操作により携帯端末１００の音楽プレイヤーの起動（または報知動作等のイベントにより音声再生）が指示されたか否かを判定し（ステップＳ１４）、起動が指示された場合は音楽プレイヤーによる音楽データの再生を開始する。このとき、携帯端末１００は、スピーカ用の音量設定テーブルに基づき、レシーバ１２３から音量設定値で指定された音量で音声を出力する（ステップＳ１５）。
【００６４】
次に、携帯端末１００は、タブレット端末２００に対するユーザの操作により音量が変更されたか否かを判定し（ステップＳ１６）、音量が変更された場合は変更後の音量でレシーバ１２３から音声を出力する（ステップＳ１７）。音量が変更されていない場合、携帯端末１００は現状の音量でレシーバ１２３による音声の再生を継続する。
【００６５】
続いて、タブレット端末２００に対するユーザの操作により携帯端末１００の音楽プレイヤーの終了が指示された否かを判定し（ステップＳ１８）、終了が指示された場合、携帯端末１００は音楽プレイヤーの動作を停止し（ステップＳ１９）、待ち受け状態に戻る。終了が指示されていない場合はレシーバ１２３による音声の再生を継続する。
【００６６】
次にタブレット端末２００の処理手順について図３（ｂ）を用いて説明する。
【００６７】
図３（ｂ）に示すように、タブレット端末２００は、待ち受け状態において携帯端末１００と接続されているか否か判定する（ステップＳ２１）。携帯端末１００と接続されていない場合、タブレット端末２００はステップＳ２１の処理を繰り返す。
【００６８】
携帯端末１００と接続されている場合、タブレット端末２００は、ユーザの操作によって設定された、スピーカ２１８の音量設定値を携帯端末１００に通知する（ステップＳ２２）。
【００６９】
タブレット端末２００は、ユーザの操作により携帯端末１００の音楽プレイヤーの起動が指示され、該音楽プレイヤーによる音楽データの再生が開始されると、携帯端末１００から送信された音声信号にしたがって、音量設定値で指定された音量でスピーカ２１８から音声を出力する（ステップＳ２３）。
【００７０】
次に、タブレット端末２００は、ユーザの操作により音量が変更されたか否かを判定し（ステップＳ２４）、音量が変更された場合は変更後の音量でスピーカ２１８から音声を出力する（ステップＳ２５）。音量が変更されていない場合、タブレット端末２００は、現状の音量でスピーカ２１８による音声の再生を継続する。
【００７１】
続いて、タブレット端末２００は、ユーザの操作により携帯端末１００の音楽プレイヤーの動作が停止したか否かを判定し（ステップＳ２６）、音楽プレイヤーの動作が停止した場合はスピーカ２１８による音声出力を停止し（ステップＳ２７）、待ち受け状態に戻る。音楽プレイヤーの動作が停止いない場合はスピーカ２１８による音声の再生を継続する。
【００７２】
次に、図１（ｂ）に示した音声再生システムをハンズフリー電話機として利用する場合の処理について図４を用いて説明する。
【００７３】
図４は、図１（ｂ）に示した音声再生システムをハンズフリー電話機として用いる場合の処理手順の一例を示すフローチャートである。
【００７４】
図４に示すように、携帯端末１００は、待ち受け状態において、まずタブレット端末２００と接続されているか否か判定する（ステップＳ３１）。タブレット端末２００と接続されていない場合、携帯端末１００はステップＳ３１の処理を繰り返す。
【００７５】
タブレット端末２００と接続されている場合、携帯端末１００は、レシーバ１２３をスピーカとして運用するための準備（レシーバの運用変更）を行う（ステップＳ３２）。例えばレシーバ１２３から出力する音量を設定するための音量設定テーブルをレシーバ用からスピーカ用に切り換える。また、携帯端末１００は、レシーバ用の音声増幅回路をスピーカ用の音声増幅回路に切り換える。
【００７６】
次に、携帯端末１００は、ユーザが携帯端末１００を操作することで設定した音量設定値を、ユーザがタブレット端末２００を操作することで設定した音量設定値に一致させる（ステップＳ３３）。タブレット端末２００の音量設定値は、例えばタブレット端末２００が携帯端末１００との接続を確認した時点で、該タブレット端末２００から携帯端末１００へ送信すればよい。または、タブレット端末２００の音量設定値は、携帯端末１００からの要求に応じて、タブレット端末２００から携帯端末１００へ送信すればよい。図４では、携帯端末１００の音量設定値をタブレット端末２００の音量設定値に一致させる例を示しているが、タブレット端末２００の音量設定値を携帯端末１００の音量設定値に一致させてもよい。
【００７７】
なお、タブレット端末２００がスピーカ２１８を備えていない場合、タブレット端末２００は音量設定機能を有していない。その場合、ユーザはタブレット端末２００を操作することで携帯端末１００の音量設定テーブルを読み出して音量を変更すればよい。
【００７８】
携帯端末１０は、音声着信の有無を判定し（ステップＳ３４）、音声着信が発生すると、例えばＢｌｕｅｔｏｏｔｈ（登録商標）等の近距離無線インタフェースを利用する、ハンズフリー通話を可能にする周知の通信機器等がタブレット端末２００に接続されているか（無線通信可能な状態であるか）否かを判定する（ステップＳ３５）。
【００７９】
該通信機器が接続されている場合、該通信機器を用いてユーザが着信に応答すると、携帯端末１００は、通話相手との呼を確立して（ステップＳ３６）ユーザによる通信機器を用いた通話が可能な状態へ移行する。ユーザによる通話が終了すると、携帯端末１００は、呼を切断して（ステップＳ３７）待ち受け状態へ戻る。
【００８０】
ハンズフリー通話を可能にする通信機器が接続されていない場合、携帯端末１００はタブレット端末２００を用いたハンズフリー通話の処理へ移行する。このとき、着信音は、携帯端末１００のレシーバ１２３またはタブレット端末２００のスピーカ２１８の少なくともいずれか一方から出力される。
【００８１】
タブレット端末２００に対するユーザの操作によりユーザが着信に応答すると、携帯端末１００は、通話相手との呼を確立して（ステップＳ３８）ユーザによる通話が可能な状態へ移行する。このとき、通話相手の受話音声は携帯端末１００のレシーバ１２３またはタブレット端末２００のスピーカ２１８の少なくともいずれか一方から出力される。一方、送話者（ユーザ）の音声は、外付けのマイクロフォンや携帯端末１００が備えるマイクロフォン１２１を用いて携帯端末１００に入力される。ユーザによる通話が終了すると、携帯端末１００は、呼を切断して（ステップＳ３９）待ち受け状態へ戻る。
【００８２】
本実施形態の音声再生システムによれば、タブレット端末２００との接続時に、携帯端末１００の音響部品（例えばレシーバ１２３）またはタブレット端末２００のスピーカ２１８から音声を出力することで、例えば音声着信時にはハンズフリー通話が可能になるため、携帯端末１００をタブレット端末２００から取り外す煩わしさを回避できる。また、携帯端末１００のレシーバ１２３とタブレット端末２００のスピーカ２１８の両方を用いて受話音声を出力すれば、モノラル音声である受話音声を、より大きく、かつ明瞭に再生できる。
【００８３】
さらに、タブレット端末２００との接続時に、携帯端末１００の音響部品（例えばレシーバ１２３）とタブレット端末２００のスピーカ２１８からそれぞれ音声を出力することで、例えば２チャネルステレオ用の音楽データを再生する場合、タブレット端末２００が１台のスピーカ２１８しか備えていなくても、携帯端末１００の音響部品（例えばレシーバ１２３）とタブレット端末２００のスピーカ２１８にそれぞれ異なるチャネルの音声信号を割り当てることで、２チャネルステレオで音楽等を再生できる。
【００８４】
したがって、携帯端末１００とタブレット端末２００とを一体化した構成でもハンズフリー電話機としての利用やステレオ再生が可能になる。
【００８５】
なお、図１（ａ）及び（ｂ）では、携帯端末１００をタブレット端末２００に収納する構成例を示したが、携帯端末１００のレシーバ１２３やスピーカ１２２が使用可能であり、接続後の位置関係が固定であれば、本発明は携帯端末１００をタブレット端末２００に収納する構成以外にも適用可能である。例えば専用の装着台等を用いて携帯端末１００とタブレット端末２００とを固定して接続する構成にも本発明は適用可能である。
【００８６】
また、図３に示した処理では、携帯端末１００に格納された２チャネルステレオ用の音楽データを再生する例で示したが、再生する音楽データはタブレット端末２００に格納されていてもよい。その場合、ユーザがタブレット端末２００を操作することでタブレット端末２００の音楽プレイヤーが起動され、音楽データの再生が開始されると、タブレット端末２００から携帯端末１００にレシーバ１２３で出力させる音声信号を送信すればよい。
【００８７】
なお、本実施形態では、携帯端末１００をタブレット端末２００の収納部に挿入することで携帯端末１００とタブレット端末２００とを接続するインタフェースを備える構成例を示したが、携帯端末１００及びタブレット端末２００は、携帯端末１００をタブレット端末２００に挿入することで接続される構成である必要はない。例えば予め携帯端末１００とタブレット端末２００とをケーブル等で接続した後、携帯端末１００をタブレット端末２００に収納する構成でもよく、収納後に携帯端末１００とタブレット端末２００とをケーブル等で接続する構成でもよい。本発明は、携帯端末１００をタブレット端末２００に収納することで携帯端末１００とタブレット端末２００とが接続される構成であればよく、それらを接続するインタフェースはどのようなものでもよい。
【００８８】
また、本実施形態では、タブレット端末２００への収納時に携帯端末１００のレシーバ１２３で音声を再生する構成例を示したが、携帯端末１００では、スピーカ１２２で音声を再生してもよく、レシーバ及びスピーカとして兼用可能な部品等で音声を再生してもよい。本発明は、タブレット端末２００への収納時に、タブレット端末２００の収納部に備える切り欠き部位により露出する携帯端末１００のレシーバ１２３、スピーカ１２２、レシーバ及びスピーカとして兼用可能な部品等（以下、レシーバ部と称す）を用いて音声を再生できればよく、レシーバ部には音声が出力可能であればどのような部品を用いてもよい。
【００８９】
また、本実施形態では、携帯端末１００をタブレット端末２００に収納した状態でハンズフリー電話機として利用する場合に、送話者の音声を携帯端末１００が備えるマイクロフォン１２１を用いて入力する例を示したが、この場合、携帯端末１００のマイクロフォン１２１はタブレット端末２００の収納部に備える切り欠き部位により露出する位置に設けてもよい。
【００９０】
また、本実施形態では、タブレット端末２００が電源制御部３１９を備え、電源制御部３１９に接続される二次電池から所要の電力が供給される構成例を示したが、タブレット端末２００には、例えば携帯端末１００から外部インタフェース１１６及び２１４を介して電力を供給してもよい。
【符号の説明】
【００９１】
１００    携帯端末
１１０、２１０    ＣＰＵ
１１１、２１１    ＲＯＭ
１１２、２１２    作業用メモリ
１１３、２１３    不揮発メモリ
１１４    無線機送受信部
１１５    ＬＥＤ部
１１６、２１４    外部インタフェース
１１７、２１５    キー入力部
１１８    キーバックライト
１１９、２１６    表示制御部
１２０、２１７、３０４    表示部
１２１    マイクロフォン
１２２、２１８、３０１    スピーカ
１２３、３０２    レシーバ
１２４    近距離無線送受信部
１２５、２１９    電源制御部
１３０、２３０    バス
２００    タブレット端末
３０３    メニューキー
【図１（ａ）】
2013126001.tif 000003
【図１（ｂ）】
2013126001.tif 000004
【図２（ａ）】
2013126001.tif 000005
【図２（ｂ）】
2013126001.tif 000006
【図３（ａ）】
2013126001.tif 000007
【図３（ｂ）】
2013126001.tif 000008
【図４】
2013126001.tif 000009